(57)【要約】  【課題】酸素を供給する鼻チューブの折れ曲がりや閉塞によって、酸素が患者に供給されないリスクを低減することを可能にした酸素供給用鼻孔カニューラ装置を提供する。  【解決手段】第１の二股コネクタ７の他端の円筒状接続部７２の円筒状外周面には、第２の二股コネクタ８の一端の円筒状接続部８２の円筒状内周面が外嵌して、第１の二股コネクタ７と第２の二股コネクタ８は機械的および流体的に接続されている。第２の二股コネクタ８の他端の二股部８１の二股内周面の一方には、柔軟で中空な酸素供給チューブ５が機械的および流体的に接続されている。第２の二股コネクタ８の他端の二股部８１の二股内周面の他方には、柔軟で中空な圧力測定チューブ６が機械的および流体的に接続されている。【選択図】図１
2015231483.tif 000002
【特許請求の範囲】
【請求項１】
鼻孔に挿入される一対の中空の鼻孔プロングに一端が接続される一対の中空の鼻チューブと、
前記一対の中空の鼻チューブの他端が接続される流体コネクタと、
前記流体コネクタに一端が接続され、他端が酸素供給装置に接続される中空の酸素供給チューブと、
前記流体コネクタに一端が接続され、他端が圧力測定装置に接続される中空の圧力測定チューブとからなる
ことを特徴とする酸素供給用鼻孔カニューラ装置。
【請求項２】
請求項１に記載の酸素供給用鼻孔カニューラ装置であって、
前記流体コネクタは両端に二股部を有するものであり、
前記一対の鼻チューブの他端は、前記流体コネクタの一端の二股部に接続され、
前記酸素供給チューブの一端は、前記流体コネクタの他端の二股部の一方に接続され、
前記圧力測定チューブの一端は、前記流体コネクタの他端の二股部の他方に接続される
ことを特徴とする酸素供給用鼻孔カニューラ装置。
【請求項３】
請求項２に記載の酸素供給用鼻孔カニューラ装置であって、
前記流体コネクタは、第１の二股コネクタおよび第２の二股コネクタから構成されることを特徴とする酸素供給用カニューラ装置。
【請求項４】
請求項３に記載の酸素供給用鼻孔カニューラ装置であって、
前記第１の二股コネクタの一端の二股部には、前記一対の鼻チューブの他端が接続され、その第１の二股コネクタの他端には、前記第２の二股コネクタの一端が接続され、
前記酸素供給チューブの一端は、前記第２の二股コネクタの他端の二股部の一方に接続され、その酸素供給チューブの他端は前記酸素供給装置に接続され、
前記圧力測定チューブの一端は、前記第２の二股コネクタの他端の二股部の他方に接続され、その圧力測定チューブの他端は、前記圧力測定装置に接続される
ことを特徴とする酸素供給用鼻孔カニューラ装置。
【請求項５】
請求項４に記載の酸素供給用鼻孔カニューラ装置であって、
前記第１の二股コネクタの他端の外周面に前記第２の二股コネクタの一端の内周面が外嵌して接続されている
ことを特徴とする酸素供給用鼻孔カニューラ装置。
【請求項６】
請求項４に記載の酸素供給用鼻孔カニューラ装置であって、
前記第２の二股コネクタの一端の外周面に前記第１の二股コネクタの他端の内周面が外嵌して接続されている
ことを特徴とする酸素供給用鼻孔カニューラ装置。
【請求項７】
鼻孔に挿入される一対の中空の鼻孔プロングに一端が接続される一対の中空の鼻チューブと、
前記一対の中空の鼻チューブの他端が接続される第1の流体コネクタと、
前記第1の流体コネクタと流体チューブを介して接続される第２の流体コネクタと、
前記第２の流体コネクタに一端が接続され、他端が酸素供給装置に接続される中空の酸素供給チューブと、
前記流体コネクタに一端が接続され、他端が圧力測定装置に接続される中空の圧力測定チューブとからなる
ことを特徴とする酸素供給用鼻孔カニューラ装置。
【請求項８】
請求項７に記載した酸素供給用鼻孔カニューラ装置であって、
前記第1の流体コネクタは一端に二股部を有する二股コネクタであり、
前記第２の流体コネクタは他端に二股部を有する二股コネクタであり、
前記第１の流体コネクタの他端と前記第２の流体コネクタの一端とが前記流体チューブを介して接続され、
前記一対の鼻チューブの他端は、前記第1の流体コネクタの一端の二股部に接続され、
前記酸素供給チューブの一端は、前記第２の流体コネクタの他端の二股部の一方に接続され、
前記圧力測定チューブの一端は、前記第２の流体コネクタの他端の二股部の他方に接続される
ことを特徴とする酸素供給用鼻孔カニューラ装置。
【請求項９】
請求項１〜８のいずれかに記載の酸素供給用鼻孔カニューラ装置であって、
前記圧力測定装置が時間内歩行試験器である
ことを特徴とする酸素供給用鼻孔カニューラ装置。
【請求項１０】
請求項１〜９のいずれかに記載の酸素供給用鼻孔カニューラ装置であって、
前記圧力測定装置がＰＳＧ装置である
ことを特徴とする酸素供給用鼻孔カニューラ装置。
【発明の詳細な説明】
【技術分野】
【０００１】
本発明は、酸素供給装置から患者の鼻孔に酸素を供給する酸素供給用鼻孔カニューラ装置に関する。さらに詳しくは、鼻孔カニューラ内の圧力の変化を圧力測定装置で検出するための酸素供給用鼻孔カニューラ装置に関する。
【背景技術】
【０００２】
呼吸器疾患の患者の治療のために、酸素供給装置から患者の鼻孔に酸素を供給する酸素供給用鼻孔カニューラ装置が使用される。また、患者が酸素の供給を受けながら時間内歩行試験（例えば６分間歩行試験）を行う場合には、歩行中における患者の呼吸数等の呼吸パラメータを測定する目的で、酸素供給用鼻孔カニューラを、呼吸圧を測定可能な時間内歩行試験装置にも接続する必要がある。また、患者が酸素の供給を受けながらＰＳＧ（polysomnography）検査を行う場合には、睡眠中における患者の呼吸フロー等の呼吸パラメータを測定する目的で、酸素供給用鼻孔カニューラを、呼吸圧を測定可能なＰＳＧ装置にも接続する必要がある。
【０００３】
例えば、特許文献１に示すデュアルルーメンカニューラは、一対の中空の鼻孔プロング内に２つの通路があり、一方が酸素供給、他方が圧力の検出に使用される。また、他の例のデュアルルーメンカニューラは、一対の鼻孔プロングの内の１つが酸素供給、他方が圧力の検出に使用される。そして、一対の鼻チューブのうちの一方が酸素供給用、他方が圧力の検出用に使用され、一対の鼻チューブは鼻孔プロングで分岐されて、それぞれの接続先につながる。
【０００４】
このような従来のデュアルルーメンカニューラは、鼻孔プロングの酸素供給面積が小さくなり、また、酸素を供給する鼻チューブが１本になるため、鼻チューブの折れ曲がりや閉塞によって、酸素が患者に供給されないリスクが増大する。
【先行技術文献】
【特許文献】
【０００５】
【特許文献１】特開２００５−１５２６１５号公報
【発明の概要】
【発明が解決しようとする課題】
【０００６】
本発明の目的は、鼻孔カニューラ内の圧力の変化を測定することが可能であり、酸素を供給する鼻チューブの折れ曲がりや閉塞によって酸素が患者に供給されないリスクを低減することを可能にした酸素供給用鼻孔カニューラ装置を提供することにある。
【課題を解決するための手段】
【０００７】
前記課題は以下の手段によって解決される。
すなわち、本発明１の酸素供給用鼻孔カニューラ装置（第１実施形態に係る酸素供給用鼻孔カニューラ装置１）は、鼻孔に挿入される一対の中空の鼻孔プロング（２２，２２）に一端が機械的および流体的に接続される一対の中空の鼻チューブ（３，３）と、前記一対の中空の鼻チューブの他端が機械的および流体的に接続される流体コネクタ（コネクタ部１００）と、前記流体コネクタに一端が機械的および流体的に接続され、他端が酸素供給装置に機械的および流体的に接続される中空の酸素供給チューブ（５）と、前記流体コネクタに一端が機械的および流体的に接続され、他端が圧力測定装置に機械的および流体的に接続される中空の圧力測定チューブ（６）とからなることを特徴とする。
【０００８】
本発明２の酸素供給用鼻孔カニューラ装置（第１実施形態に係る酸素供給用鼻孔カニューラ装置１）は、本発明１の酸素供給用鼻孔カニューラ装置であって、前記流体コネクタ（コネクタ部１００）は両端に二股部（第１の二股コネクタ７の一端の二股部７１および第２の二股コネクタ８の他端の二股部８１）を有するものであり、前記一対の鼻チューブ（３，３）の他端は、前記流体コネクタの一端の二股部（第１の二股コネクタ７の一端の二股部７１）に接続され、前記酸素供給チューブ（５）の一端は、前記流体コネクタの他端の二股部（第２の二股コネクタ８の他端の二股部８１）の一方に接続され、前記圧力測定チューブ（６）の一端は、前記流体コネクタの他端の二股部（第２の二股コネクタ８の他端の二股部８１）の他方に接続されることを特徴とする。
【０００９】
本発明３の酸素供給用鼻孔カニューラ装置（１）は、本発明２において、前記流体コネクタ（コネクタ部１００）は、第１の二股コネクタ（７）および第２の二股コネクタ（８）から構成されることを特徴とする。
【００１０】
本発明４の酸素供給用鼻孔カニューラ装置（１）は、本発明３において、前記第１の二股コネクタ（７）の一端の二股部（７１）には、前記鼻チューブ（３，３）の他端が接続され、その第１の二股コネクタの他端（７２）には、前記第２の二股コネクタ（８）の一端（８２）が機械的および流体的に接続され、前記酸素供給チューブ（５）の一端は、前記第２の二股コネクタの他端の二股部（８１）の一方に接続され、その酸素供給チューブの他端は、前記酸素供給装置に接続され、前記圧力測定チューブ（６）の一端は、前記第２の二股コネクタの他端の二股部の他方に接続され、その圧力測定チューブの他端は、前記圧力測定装置に接続されることを特徴とする。
【００１１】
本発明５の酸素供給用鼻孔カニューラ装置（１）は、本発明４において、前記第１の二股コネクタの他端（７２）の外周面に前記第２の二股コネクタの一端（８２）の内周面が外嵌して機械的および流体的に接続されていることを特徴とする。
【００１２】
本発明６の酸素供給用鼻孔カニューラ装置（１）は、本発明４において、前記第２の二股コネクタの一端（８２）の外周面に前記第１の二股コネクタの他端の内周面（７２）が外嵌して機械的および流体的に接続されていることを特徴とする。
【００１３】
本発明７の酸素供給用鼻孔カニューラ装置（第２実施形態に係る酸素供給用鼻孔カニューラ装置１０）は、鼻孔に挿入される一対の中空の鼻孔プロング（２２，２２）に一端が機械的および流体的に接続される一対の中空の鼻チューブ（３，３）と、前記一対の中空の鼻チューブの他端が機械的および流体的に接続される第1の流体コネクタ（二股コネクタ４）と、前記第1の流体コネクタと流体チューブ（連結チューブ５０）を介して機械的および流体的に接続される第２の流体コネクタ（Ｙ字コネクタ５２）と、前記第２の流体コネクタに一端が機械的および流体的に接続され、他端が酸素供給装置に機械的および流体的に接続される中空の酸素供給チューブ（５）と、前記流体コネクタに一端が機械的および流体的に接続され、他端が圧力測定装置に機械的および流体的に接続される中空の圧力測定チューブ（６）とからなることを特徴とする。
【００１４】
本発明８の酸素供給用鼻孔カニューラ装置（第２実施形態に係る酸素供給用鼻孔カニューラ装置１０）は、本発明７の酸素供給用鼻孔カニューラ装置であって、前記第1の流体コネクタは一端に二股部を有する二股コネクタ（４）であり、前記第２の流体コネクタは他端に二股部を有する二股コネクタ（Ｙ字コネクタ５２）であり、前記第１の流体コネクタの他端（４２）と前記第２の流体コネクタの一端（枝管部５２Ｂ）とが前記流体チューブ（連結チューブ５０）を介して接続され、前記一対の鼻チューブ（３，３）の他端は、前記第1の流体コネクタの一端の二股部（４１）に接続され、前記酸素供給チューブ（５）の一端は、前記第２の流体コネクタの他端の二股部の一方（幹管部５２Ａ）に接続され、前記圧力測定チューブ（６）の一端は、前記第２の流体コネクタの他端の二股部の他方（枝管部５２Ｃ）に接続されることを特徴とする。
【００１５】
本発明９の酸素供給用鼻孔カニューラ装置は、本発明１〜８のいずれかにおいて、前記圧力測定装置が時間内歩行試験器であることを特徴とする。
【００１６】
本発明１０の酸素供給用鼻孔カニューラ装置は、本発明１〜９のいずれかにおいて、前記圧力測定装置がＰＳＧ装置であることを特徴とする。
【発明の効果】
【００１７】
本発明の酸素供給用鼻孔カニューラ装置は、鼻孔カニューラ内の圧力の変化を正確に測定することが可能であり、鼻孔プロングに酸素を供給する鼻チューブが２本になるため、鼻チューブの折れ曲がりや閉塞によって、酸素が患者に供給されないリスクを低減することが可能となる。
【図面の簡単な説明】
【００１８】
【図１】図１は、第１実施形態の酸素供給用鼻孔カニューラ装置を示す全体図である。
【図２】図２は、鼻孔カニューラ部を示す部分拡大図である。
【図３】図３は、コネクタ部を示す部分拡大図である。
【図４】図４は、酸素供給装置に接続されるボンベジョイントを示す部分拡大図である。
【図５】図５は、圧力測定装置に接続される圧力コネクタを示す部分拡大図である。
【図６】図６は、第２実施形態の酸素供給用鼻孔カニューラ装置を示す全体図である。
【発明を実施するための形態】
【００１９】
以下、本発明の実施の形態を図面に基づいて説明する。本発明の実施の形態として、以下に示す第１実施形態および第２実施形態が含まれる。以下では、まず第１実施形態に係る酸素供給用カニューラ装置について説明し、次に第２実施形態に係る酸素供給用カニューラ装置について第１実施形態と異なる点を主に説明する。
【００２０】
［第１実施形態］
図１は、第１実施形態の酸素供給用鼻孔カニューラ装置を示す全体図である。図１に示すように、圧力測定装置を接続する本発明の実施の形態の酸素供給用鼻孔カニューラ装置１は、柔軟で中空な鼻孔カニューラ２と、鼻孔カニューラ２の端部２１、２１に各々の一端が機械的および流体的に接続された一対の柔軟な中空の鼻チューブ３、３とから構成される。図１および図２に示すように、鼻孔カニューラ２には、患者の鼻孔に挿入されて鼻孔に酸素を供給する一対の中空の鼻孔プロング（突起部）２２、２２が一体的に形成されている。比較的短い鼻チューブ３、３によってループ状の開口部３２が形成され、スライドリング３１をスライドさせて開口部３２の大きさを調整し、酸素供給用鼻孔カニューラ装置１の使用時には、開口部３２に患者の両耳と顎部が挿入される。
【００２１】
図２は、鼻孔カニューラ２の斜視図である。鼻孔カニューラ２の端部２１、２１の内周面には、鼻チューブ３、３の一端の外周面が、例えば熱融着等の方法によって接合されている。また、図１および図３に示すように、鼻チューブ３、３の他端（図１および図３の左側）は、コネクタ部１００の一端（図１および図３の右側）の二股部に接続されており、コネクタ部１００の他端（図１および図３の左側）の二股部の一方には酸素供給チューブ５が接続され、コネクタ部１００の他端（図１および図３の左側）の二股部の他方には圧力測定チューブ６が接続されている。
【００２２】
コネクタ部１００は、図１および図３に示すように、第１の二股コネクタ７と第２の二股コネクタ８とから構成されている。第１の二股コネクタ７および第２の二股コネクタ８は、いずれも気体流路がＹ字状のコネクタであり、チューブが接続されない非分岐部とチューブが接続される分岐部により構成される。これら第１の二股コネクタ７および第２の二股コネクタ８の非分岐部同士を接合することによって４股となるコネクタ部１００が形成されている。
【００２３】
鼻チューブ３、３の他端（図１および図３の左端）は、第１の二股コネクタ７の一端（図１および図３の右端）の二股部７１の二股内周面に機械的および流体的に接続されている。第１の二股コネクタ７の他端（図１および図３の左端）の円筒状接続部７２の円筒状外周面には、第２の二股コネクタ８の一端（図１および図３の右端）の円筒状接続部８２の円筒状内周面が外嵌して、第１の二股コネクタ７と第２の二股コネクタ８は機械的および流体的に接続されている。すなわち、この実施の形態では、第２の二股コネクタ８として、第１の二股コネクタ７よりもランクが上の寸法の二股コネクタを使用している。
【００２４】
第２の二股コネクタ８の他端（図１および図３の左端）の二股部８１の二股内周面の一方には、柔軟で中空な酸素供給チューブ５が機械的および流体的に接続されている。比較的長い酸素供給チューブ５の左端は、ボンベジョイント５１によって酸素ボンベ等の酸素供給装置（図示せず）に機械的および流体的に接続される。ここで、図４に示すように、酸素供給チューブ５の外周面には、ボンベジョイント５１の円筒状内周面が外嵌して、酸素供給チューブ５とボンベジョイント５１は機械的および流体的に接続されている。
【００２５】
第２の二股コネクタ８の他端（図１および図３の左端）の二股部８１の二股内周面の他方には、柔軟で中空な圧力測定チューブ６が機械的および流体的に接続されている。圧力測定チューブ６左端の圧力コネクタ６１が時間内歩行試験装置やＰＳＧ装置等の圧力測定装置に接続される。ここで、図５に示すように、圧力コネクタ６１は、円筒状の筒体６１０と、その筒体６１０の底面６１０ａにより支持され筒体６１０を軸方向に貫通する中空状の接続管６１３とから構成される。筒体６１０と接続管６１３とは一体に成形されており、筒体６１０の内周面には螺旋山６１１が形成されている。接続管６１３の一端（図５の下側）の外周面には、圧力測定チューブ６の端部内周面が外嵌して、圧力測定チューブ６と圧力コネクタ６１は機械的および流体的に接続されている。そして、接続管６１３の他端（図５の上側）の外周面には、時間内歩行試験装置やＰＳＧ装置等の圧力測定装置の圧力ポートの内周面が外嵌し、さらにその圧力ポートの外周面に形成された螺旋溝と、筒体６１０の内周面に設けられている螺旋山６１１とが嵌合することにより、その圧力測定装置と圧力コネクタ６１（すなわち圧力測定チューブ６）とが、機械的および流体的に接続される。
【００２６】
なお、酸素供給チューブ５と酸素供給装置との接続方式は図４に示したボンベジョイント方式に限らず、例えば螺旋で固定する方式であっても良い。また、圧力測定チューブ６と圧力測定装置との接続方式は、図５に示した螺旋方式に限らず、例えば圧力ポートのソケットに非螺旋式の圧力コネクタを差し込む方式であっても良い。
【００２７】
このように、この実施の形態では、コネクタ部１００の一端に鼻チューブ３、３の他端が接続され、コネクタ部１００の他端の一方に酸素供給チューブ５が接続され、コネクタ部１００の他端の他方には圧力測定チューブ６が接続されることにより、簡素な構造で鼻孔カニューラ内の圧力の変化を正確に測定することが可能である。また、合計４本のチューブが接続されるコネクタ部１００は、二股コネクタの非分岐部同士を接続することにより構成しているため、特殊な部材を要すること無く容易に製造可能であり、製造コストを抑制することができる。
【００２８】
また、従来の酸素供給用鼻孔カニューラ装置は、圧力測定装置との接続部が鼻孔プロングから離れているため、酸素の供給量が大きくなると、バックプレッシャーが大きくなって、鼻孔カニューラ２内の圧力の変化を圧力測定装置で正確に測定することが困難になる。これに対して、図１に示す本発明の実施の形態の酸素供給用鼻孔カニューラ装置１は、鼻チューブ３、３の他端に接近して圧力測定チューブ６を接続可能にしている。従って、時間内歩行試験装置やＰＳＧ装置等の圧力測定装置に接続される圧力コネクタ６１が、酸素が吐出される鼻孔プロング２２、２２に近接しているため、酸素の供給量が大きくなっても、バックプレッシャーを小さくできて、鼻孔カニューラ２内の圧力の変化を正確に測定することが可能になる。また、鼻孔プロング２２、２２に酸素を供給する鼻チューブ３、３が２本になるため、鼻チューブ３、３の折れ曲がりや閉塞によって、酸素が患者に供給されないリスクを低減することが可能となる。鼻孔プロング２２、２２の酸素供給面積が減少しないため、鼻孔への酸素供給が円滑で、患者の使用感が向上する。
【００２９】
なお、他の実施の形態として、例えば、第１の二股コネクタ７として、第２の二股コネクタ８よりもランクが上の寸法の二股コネクタを使用するようにしても良い。すなわち、第２の二股コネクタ８の一端（図１および図３の右端）の円筒状接続部８２の円筒状外周面には、第１の二股コネクタ８の他端（図１および図３の左端）の円筒状接続部７２の円筒状内周面が外嵌して、第２の二股コネクタ８と第１の二股コネクタ７が機械的および流体的に接続されるようにしても良い。
【００３０】
なお、コネクタ部１００の形状は、図１に示した形状に限らず、４つのチューブ接続部を有する形状であれば良く、その４つのチューブ接続部のうちの２つに鼻チューブ３、３を接続可能であり、残り２つのチューブ接続部のうちの一方のチューブ接続部に酸素供給チューブ５を接続可能であり、他方のチューブ接続部に圧力測定チューブ６を接続可能であれば良い。また、コネクタ部１００を複数のコネクタではなく、４つのチューブ接続部を有し、その４つのチューブ接続部全てに連通する空間を内部に有する１つの中空状コネクタで構成するようにしても良い。
【００３１】
［第２実施形態］
第１実施形態に係る酸素供給用鼻孔カニューラ装置１は、２つの二股コネクタ（７，８）が直接接続されることによりコネクタ部１００が構成されるものであったが、図６に示す第２実施形態に係る酸素供給用鼻孔カニューラ装置１０では、２つの二股コネクタ（二股コネクタ４およびＹ字コネクタ５２）が、連結チューブ５０を介して接続される。
【００３２】
図６は、第２実施形態の酸素供給用鼻孔カニューラ装置１０を示す全体図である。鼻孔に酸素を供給する酸素供給用鼻孔カニューラ装置１０に、時間内歩行試験装置やＰＳＧ装置等の圧力測定装置が接続される。図６に示すように、圧力測定装置を接続可能な酸素供給用鼻孔カニューラ装置１０は、柔軟で中空な鼻孔カニューラ２と、鼻孔カニューラ２の端部２１、２１に各々の一端が機械的および流体的に接続された一対の柔軟な中空の鼻チューブ３、３とから構成される。鼻孔カニューラ２には、患者の鼻孔に挿入されて鼻孔に酸素を供給する一対の中空の鼻孔プロング（突起部）２２、２２が一体的に形成されている。鼻チューブ３、３の他端（（図６の左端）は、二股コネクタ４の一端（図６の右端）の二股部４１の二股内周面に機械的および流体的に接続されている。二股コネクタ４の他端（図６の左端）の円筒状接続部４２の円筒状内周面には、柔軟で中空な連結チューブ５０が機械的および流体的に接続されている。連結チューブ５０は、酸素供給用チューブおよび圧力測定チューブを兼ねたチューブである。
【００３３】
比較的短い鼻チューブ３、３によってループ状の開口部３２が形成され、スライドリング３１をスライドさせて開口部３２の大きさを調整し、酸素供給用鼻孔カニューラ装置１０の使用時には、開口部３２に患者の両耳と顎部が挿入される。二股コネクタ４の他端（図６の左端）の円筒状接続部４２に接続されている比較的長い連結チューブ５０（酸素供給チューブであり圧力測定チューブも兼ねる）の左端は、比較的長い幹管部５２Ａと、その幹管部５２Ａから２つに分岐する比較的短い枝管部５２Ｂ，５２ＣとからなるＹ字コネクタ５２の一方の枝管部５２Ｂに機械的および流体的に接続されている。Ｙ字コネクタ５２の他方の枝管部５２Ｃには、第１実施形態と同様の圧力コネクタ６１を他端に備える圧力測定チューブ５の一端が、機械的および流体的に接続されている。そしてＹ字コネクタ５２の幹管部５２Ａには、第１実施形態と同様のボンベジョイント５１を他端に備える酸素供給チューブ５の一端が、機械的および流体的に接続されている。
【００３４】
すなわち、第２実施形態では、鼻孔カニューラ２が接続される二股コネクタ４と、ボンベジョイント５１を備える酸素供給チューブ５および圧力コネクタ６１を備える圧力測定チューブ６が接続されるＹ字コネクタ５２とが、連結チューブ５０を介して接続されることにより、鼻孔カニューラ２と酸素ボンベ等の酸素供給装置（図示せず）とが機械的および流体的に接続されるとともに、鼻孔カニューラ２と時間内歩行試験装置やＰＳＧ装置等の圧力測定装置（図示せず）とが機械的および流体的に接続される。
【００３５】
なお、第２実施形態におけるＹ字コネクタ５２の幹管部５２Ａ並びに枝管部５２Ｂおよび５２Ｃに、酸素供給チューブ５、連結チューブ５０、および圧力測定チューブ６のいずれのチューブを接続するかは任意である。すなわち、Ｙ字コネクタ５２の各管部５２Ａ，５２Ｂ，５２Ｃのうち、いずれの２つの管部に酸素供給チューブ５および圧力測定チューブ６を接続して二股部とするかは各管部の径や長さ等に応じて適宜選択すると良い。
【００３６】
また、上記の第１実施形態において、ヒトの操作によって、第１の二股コネクタ７の他端の外周面に第２の二股コネクタ８の一端の内周面を外嵌して接続可能とすると共に、接続状態にある第１の二股コネクタ７の他端から第２の二股コネクタ８の一端を取り外して両コネクタを分離可能としても良い。即ち、第１の二股コネクタ７と第２の二股コネクタ８とを着脱自在に構成しても良い。そして、第２実施形態に示されるように、相互に分離した第１の二股コネクタ７の他端と、第２の二股コネクタ８の一端とを、連結チューブ５０を介して接続可能としても良い。このようにすることで、連結チューブの長さを調整して、必要に応じて鼻孔カニューラ２から酸素供給装置、あるいは鼻孔カニューラ２から圧力装置装置までの距離を調整することができる。
【符号の説明】
【００３７】
１…酸素供給用鼻孔カニューラ装置
１０…酸素供給用鼻孔カニューラ装置
２…鼻孔カニューラ
２１…端部
２２…鼻孔プロング（突起部）
３…鼻チューブ
３１…スライドリング
３２…開口部
４…二股コネクタ
４１…二股部
４２…円筒状接続部
５…酸素供給チューブ
５０…連結チューブ
５１…ボンベジョイント
５２…Ｙ次コネクタ
６…圧力測定チューブ
６１…圧力コネクタ
７…第１の二股コネクタ
７１…二股部
７２…円筒状接続部
８…第２の二股コネクタ
８１…二股部
８２…円筒状接続部
【図１】
2015231483.tif 000003
【図２】
2015231483.tif 000004
【図３】
2015231483.tif 000005
【図４】
2015231483.tif 000006
【図５】
2015231483.tif 000007
【図６】
2015231483.tif 000008